(57)【要約】【課題】乱流や逆流を低減し、騒音値を抑えることができるとともに、風速分布の均一化を図ることのできる空気調和装置を提供することを目的とする。【解決手段】吸込口１と吹出口２を連通する通風路３を設けた本体４と、本体４の通風路３内に設けたフィルター５およびクロスフローファン７と、風路縮小ガイド手段８とを備え、クロスフローファン７と吹出口２との間に風路縮小ガイド手段８を配置することにより、クロスフローファン７の吹出側の端部付近に生じる乱流や逆流を低減し、騒音値を抑えることができるとともに、風速分布の均一化を図ることができる空気調和装置が得られる。【選択図】図１
2007333308.tif 000002
【特許請求の範囲】
【請求項１】
吸込口と吹出口を連通する通風路を設けた本体と、この本体の通風路内に設けたフィルターおよびクロスフローファンと、風路縮小ガイド手段とを備え、前記クロスフローファンと前記吹出口との間に前記風路縮小ガイド手段を配置し構成した空気調和装置。
【請求項２】
風路縮小ガイド手段を、クロスフローファンの端部の後流側に、通風方向に対して略直交して突出する突出体により形成した請求項１記載の空気調和装置。
【請求項３】
風路縮小ガイド手段を通風方向に面する側に傾斜面を設けて形成した請求項１または２記載の空気調和装置。
【請求項４】
風路縮小ガイド手段を、通風方向に面する側を平面形状に形成し構成した請求項１〜３のいずれかに記載の空気調和装置。
【請求項５】
風路縮小ガイド手段を、通風路の通風方向に面する側を曲面形状に形成し構成した請求項１〜３のいずれかに記載の空気調和装置。
【請求項６】
風路縮小ガイド手段を、通風路の通風方向に面する側の曲面形状の断面をＳ字形状に形成した請求項５記載の空気調和装置。
【請求項７】
クロスフローファンの両端に近接して風路縮小ガイド手段を配置した請求項１〜６のいずれかに記載の空気調和装置。
【請求項８】
吹出口を、近接する主吹出口と従吹出口とに分割し、各々の吹出口に対し連通する１つの風路縮小ガイド手段を形成した請求項１〜７のいずれかに記載の空気調和装置。
【請求項９】
風路縮小ガイド手段の突端に風路拡大部を形成した請求項１〜８のいずれかに記載の空気調和装置。
【請求項１０】
従吹出口に至る風路縮小ガイド手段の従風路の距離Ｂを主吹出口に至る風路縮小ガイド手段の主風路の距離Ａより大とするとともに、従風路の傾斜角度を主風路の傾斜角度より小とした請求項８記載の空気調和装置。
【請求項１１】
クロスフローファンと吹出口との間の通風路に開口部を有した整流分配板を設け、前記整流分配板に沿う方向に主吹出口を設け、前記開口部を通過する方向に従吹出口を設けた請求項１０記載の空気調和装置。
【請求項１２】
開口部の下流側にマイナスイオン発生装置を配置した請求項１１記載の空気調和装置。
【請求項１３】
風路縮小ガイド手段の上端に突起片を設けた請求項１または２記載の空気調和装置。
【発明の詳細な説明】
【技術分野】
【０００１】
本発明は、クロスフローファンと吹出口の間に風路縮小ガイド手段を設けた空気調和装置に関する。
【背景技術】
【０００２】
従来、この種の空気調和装置の一例としてクロスフローファンを設けた温風暖房機が知られている（例えば、特許文献１参照）。
【０００３】
以下、その温風暖房機について図１８および図１９を参照にしながら説明する。
【０００４】
図に示すように、機器本体１０１にバーナ１０２を収納した燃焼室１０３を設け、燃焼室１０３で燃焼して得られた熱風は機器本体１０１に設けられた室内空気取入口１０４から吸い込まれた室内空気と混合され、対流ファン用のクロスフローファン１０５によって温風吹出口１０６より温風として室内に送り出されるように構成していた。
【特許文献１】特開平７−３２４８２４号公報（［００１０］図１、図４）
【発明の開示】
【発明が解決しようとする課題】
【０００５】
このような従来の温風暖房機においては、クロスフローファン１０５と温風吹出口１０６間のクロスフローファン１０５の下部で乱流や逆流が発生しやすいという課題があり、乱流や逆流を低減することが要求されている。
【０００６】
本発明は、このような従来の課題を解決するものであり、乱流や逆流を低減し、騒音値を抑えることができるとともに、風速分布の均一化を図ることができる空気調和装置を提供することを目的としている。
【課題を解決するための手段】
【０００７】
本発明の空気調和装置は上記目的を達成するために、吸込口と吹出口を連通する通風路を設けた本体と、この本体の通風路内に設けたフィルターおよびクロスフローファンと、風路ガイド手段とを備え、前記クロスフローファンと前記風路縮小ガイド手段を配置したものである。
【０００８】
この手段により、乱流や逆流を低減し、騒音値を抑えることができるとともに、風速分布の均一化を図ることができる空気調和装置が得られる。
【０００９】
また、他の手段は、風路縮小ガイド手段を、クロスフローファンの端部の後流側に通風方向に対して略直交して突出する突出体により形成したものである。
【００１０】
この手段により、乱流や逆流の発生を未然に防止することができる空気調和装置が得られる。
【００１１】
また、他の手段は、風路縮小ガイド手段を、通風方向に面する側に傾斜面を設けて形成したものである。
【００１２】
この手段により、傾斜面に沿わせるようにして中央寄りに風向を変更することができる空気調和装置が得られる。
【００１３】
また、他の手段は、風路縮小ガイド手段を、通風路の通風方向に面する側を平面形状に形成し構成したものである。
【００１４】
この手段により、円滑に傾斜面などに沿わせて風向を変更することができる空気調和装置が得られる。
【００１５】
また、他の手段は、風路縮小ガイド手段を、通風路の通風方向に面する側を曲面形状に形成し構成したものである。
【００１６】
この手段により、風向変更角度を大きくすることができ、整流効果を高めることができる空気調和装置が得られる。
【００１７】
また、他の手段は、風路縮小ガイド手段を、通風路の通風方向に面する側の曲面形状の断面をＳ字形状に形成し構成したものである。
【００１８】
この手段により、乱流の発生を抑えて低騒音化できるとともに、整流効果を高めることができる空気調和装置が得られる。
【００１９】
また、他の手段は、クロスフローファンの両端に近接して風路縮小ガイド手段を配置したものである。
【００２０】
この手段により、乱流や逆流の発生を抑制できるとともに、送風分布の均一化を図ることができる空気調和装置が得られる。
【００２１】
また、他の手段は、吹出口を、近接する主吹出口と従吹出口とに分割し、各々の吹出口に対し連通する１つの風路縮小ガイド手段を形成したものである。
【００２２】
この手段により、省スペース化を図るとともに、騒音の発生を抑制することができる空気調和装置が得られる。
【００２３】
また、他の手段は、風路縮小ガイド手段の突端に風路拡大部を形成したものである。
【００２４】
この手段により、通風抵抗が少なくなり、騒音を減少することができる空気調和装置が得られる。
【００２５】
また、他の手段は、従吹出口に至る風路縮小ガイド手段の従風路の距離Ｂを、主吹出口に至る風路縮小ガイド手段の主風路の距離Ａより大とするとともに、従風路の傾斜角度を主風路の傾斜角度より小としたものである。
【００２６】
この手段により、主吹出口を本体正面に設けて静音化を図ることができる空気調和装置が得られる。
【００２７】
また、他の手段は、クロスフローファンと吹出口との間の通風路に開口部を有した整流分配板を設け、前記整流分配板に沿う方向に主吹出口を設け、前記開口部を通過する方向に従吹出口を設けたものである。
【００２８】
この手段により、使用者に冷風感を与えないようにすることができる空気調和装置が得られる。
【００２９】
また、他の手段は、開口部の下流側にマイナスイオン発生装置を配置したものである。
【００３０】
この手段により、マイナスイオンの発生量を多くすることができるとともに、マイナスイオンを遠方まで飛散させることができる空気調和装置が得られる。
【００３１】
また、他の手段は、風路縮小ガイド手段の上端に突起片を設けたものである。
【００３２】
この手段により、乱流を抑制することができ、騒音をさらに低減することができる空気調和装置が得られる。
【発明の効果】
【００３３】
本発明によれば、乱流や逆流を低減し、騒音値を抑えることができるとともに、風速分布の均一化を図ることができるという効果のある空気調和装置を提供できる。
【００３４】
また、傾斜面に沿わせるようにして中央寄りに風向を変更することができるという効果のある空気調和装置を提供できる。
【００３５】
また、風向変更角度を大きくすることができ、整流効果を高めることができるという効果のある空気調和装置を提供できる。
【００３６】
また、省スペース化を図ることができるという効果のある空気調和装置を提供できる。
【００３７】
また、使用者に冷風感を与えないようにすることができるという効果のある空気調和装置を提供できる。
【００３８】
また、マイナスイオンの発生量を多くすることができるとともに、マイナスイオンを遠方まで飛散させることができる空気調和装置を提供できる。
【発明を実施するための最良の形態】
【００３９】
本発明の請求項１記載の発明は、吸込口を連通する通風路を設けた本体と、この本体の通風路内に設けたフィルターおよびクロスフローファンと、風路ガイド手段とを備え、前記クロスフローファンと前記吹出口との間に前記風路縮小ガイド手段を配置し構成したものであり、クロスフローファンの端部付近ではケーシングとの隙間があるため吹き出し風の乱流や逆流が起き易いものであるが、風路縮小ガイド手段を設けることにより、クロスフローファン端部の送風方向を中央側に寄せることができ、クロスフローファンの吹出側の端部付近に生じる乱流や逆流を低減し、騒音値を抑えることができるとともに、吐出側の風速分布が端部においてアンバランスとなるのが解消され、風速分布の均一化を図ることができるという作用を有する。
【００４０】
また、請求項２記載の発明は、風路縮小ガイド手段を、クロスフローファンの端部の後流側に通風方向に対して略直交して突出する突出体により形成したものであり、突出体を送風方向に対して直交して突き出すことにより、クロスフローファンの端部付近の風向を中央寄りに変更して送出することができるので、風速の弱い不安定領域に送風されるのを防いで、乱流や逆流の発生を未然に防止することができるという作用を有する。
【００４１】
また、請求項３記載の発明は、風路縮小ガイド手段を、通風方向に面する側に傾斜面を設けて形成したものであり、風路縮小ガイド手段に設けた傾斜面により、クロスフローファンの端部付近で吹き出された風が風路縮小ガイド手段に衝突せずに、傾斜面に沿わせるようにして中央寄りに風向を変更することができるという作用を有する。
【００４２】
また、請求項４記載の発明は、風路縮小ガイド手段を、通風路の通風方向に面する側を平面形状に形成し構成したものであり、風路縮小ガイド手段に設けた傾斜面を平面とすることにより、より円滑に傾斜面に沿わせて風向を変更することができるという作用を有する。
【００４３】
また、請求項５記載の発明は、風路縮小ガイド手段を、通風路の通風方向に面する側を曲面形状に形成し構成したものであり、風路縮小ガイド手段の通風方向に面する側を曲面形状とすることにより、風向変更時の抵抗を減らして乱流の発生を防ぐことができる。また、曲面形状を凹形状とした場合は、風向変更角度を大きくすることができ、また、曲面形状を凸形状とした場合は、送風領域を中央側に狭めることができるという作用を有する。
【００４４】
また、請求項６記載の発明は、風路縮小ガイド手段を、通風路の通風方向に面する側の曲面形状の断面をＳ字形状に形成したものであり、曲面形状の断面をＳ字形状とすることにより、凹形状または凸形状の単純な曲面に比べて送風抵抗が少なく乱流の発生を抑えて低騒音化ができるとともに、送風領域を中央側に寄せることができ、整流効果を高めることができるという作用を有する。
【００４５】
また、請求項７記載の発明は、クロスフローファンの両端に近接して風路縮小ガイド手段を配置したものであり、クロスフローファンの両端付近は風の乱流や逆流が発生しやすいが、風路縮小ガイドをクロスフローファンの両端に設けることにより、両端での乱流や逆流の発生を抑制できるとともに、クロスフローファンの長手方向の中心に対して、対称位置に風路縮小ガイド手段が配置されるので、全体のバランスを保ちながら送風分布を均一化することができるという作用を有する。
【００４６】
また、請求項８記載の発明は、吹出口を、近接する主吹出口と従吹出口とに分割し、各々の吹出口に対し、連通する１つの風路縮小ガイド手段を形成したものであり、吹出口を２つに分けることにより、冷風感を抑えつつ大風量を確保して吹き出すことができるというような多用途の対応が可能であるとともに、主吹出口と従吹出口に連通する１つの風路縮小ガイド手段を設けることにより、省スペースを図ることができ、さらにクロスフローファンの後流側で乱流の起き易い領域をなくして、騒音の発生を抑制できるという作用を有する。
【００４７】
また、請求項９記載の発明は、風路縮小ガイド手段の突端に風路拡大部を形成したものであり、風路縮小ガイド手段により、中央寄りに風向変更された気流は、風路拡大部を設けることにより、逆方向（中央から外方向）にも拡大できるようにしているので、通風抵抗が少なくなり騒音を減少することができるという作用を有する。
【００４８】
また、請求項１０記載の発明は、従吹出口に至る風路縮小ガイド手段の従風路の距離Ｂを、主吹出口に至る風路縮小ガイド手段の主風路の距離Ａより大とするとともに、従風路の傾斜角度を主風路の傾斜角度より小としたものであり、クロスフローファンから従吹出口に至る従風路は、主吹出口に至る主風路に比べてその通風距離を大とするとともに傾斜角度は小とすることにより、従吹出口への通風抵抗を少なくして送風時の騒音値を軽減するようにしているので、主吹出口を本体正面に設けて静音化を図ることができるという作用を有する。
【００４９】
また、請求項１１記載の発明は、クロスフローファンと吹出口との間の通風路に開口部を有した整流分配板を設け、前記整流分配板に沿う方向に主吹出口を設け、前記開口部を通過する方向に従吹出口を設けたものであり、整流分配板に沿う方向に主吹出口を配して風量大の空気流を主吹出口へと案内し、開口部を通過した風量小の空気流を従吹出口に導くことで、簡単な構成で２つの吹出口方向に一定配分した気流を送ることができ、主吹出口へは通風抵抗を少なくして風量の低減を防ぎ、開口部から従吹出口に至る風路内で風速が遅くなるので、本体正面に従吹出口を配置することにより、使用者に冷風感を与えないようにすることができるという作用を有する。
【００５０】
また、請求項１２記載の発明は、開口部の下流側にマイナスイオン発生装置を配置したものであり、開口部で風量と風速を調整された気流を、マイナスイオン発生装置に集中的に送風することができるので、マイナスイオンの発生量を多くすることができるとともに、マイナスイオンを遠方まで飛散させることができるという作用を有する。
【００５１】
また、請求項１３記載の発明は、風路縮小ガイド手段の上端に突起片を設けたものであり、風路縮小ガイド手段を設けていてもクロスフローファンの圧力変動が大きい場合は、乱流が完全に抑制できずに、騒音が発生する可能性があるが、風路縮小ガイド手段の上端に数ｍｍ高さの突起片を設けることにより、圧力変動に対して強くなり乱流を抑制することができるので、騒音をさらに低減することができるという作用を有する。
【００５２】
以下、本発明の実施の形態について図面を参照しながら説明する。
【００５３】
（実施の形態１）
図１および図２に示すように、吸込口１と吹出口２を連通する通風路３を設けた本体４と、本体４の通風路３内に設けたフィルター５およびケーシング６内に設けられるスクロールファン７と、風路縮小ガイド手段８とを備え、クロスフローファン７と吹出口２との間に風路縮小ガイド手段８を配置し空気調和装置を構成する。
【００５４】
上記構成において、空気調和装置を運転すると、クロスフローファン７が駆動し、吸込口１より吸い込んだ室内汚染空気はフィルター５により粉塵が吸着され、浄化された空気が通風路３を通りクロスフローファン７を介して吹出口２より浄化された空気が室内に放散されて空気調和が行われる。
【００５５】
そして、クロスフローファン７の端部付近ではケーシング６との隙間があるため、吹き出し風の乱流や逆流が起き易いものであるが、前記構成においては、風路縮小ガイド手段８を設けていることにより、クロスフローファン７の端部の送風方向を中央側に寄せることができ、クロスフローファン７の吹出側の端部付近に生じる乱流や逆流を低減し、騒音値を抑えることができるとともに、吹出側の風速分布が端部においてアンバランスとなるのを解消して、風速分布の均一化を図ることができることとなる。
【００５６】
（実施の形態２）
図３に示すように、風路縮小ガイド手段８Ａを、クロスフローファン７Ａの端部の後流側に、通風方向に対して略直交して突出する突出体９により形成し構成する。
【００５７】
上記構成においては、突出体９を送風方向に対して直交して突き出すことにより、クロスフローファン７Ａの端部付近の風向を中央寄りに変更して送出することができるので、風速の弱い不安定領域に送風されるのを防いで、乱流や逆流の発生を未然に防止することができることとなる。
【００５８】
（実施の形態３）
図４に示すように、風路縮小ガイド手段８Ｂを、通風方向に面する側に傾斜面１０を設けて構成する。
【００５９】
上記構成においては、風路縮小ガイド手段８Ｂに設けた傾斜面１０により、クロスフローファン７Ｂの端部付近で吹き出された風が風路縮小ガイド手段８Ｂに衝突せずに、傾斜面１０に沿わせるようにして中央寄りに風向を変更することができることとなる。
【００６０】
（実施の形態４）
図５に示すように、風路縮小ガイド手段８Ｃを通風路３Ａの通風方向に面する側を平面形状１１とした構成とする。
【００６１】
上記構成においては、風路縮小ガイド手段８Ｃに設けた傾斜面１０Ａを平面形状１１とすることにより、より円滑に傾斜面１０Ａに沿わせて風向を変更することができることとなる。
【００６２】
（実施の形態５）
図６に示すように、風路縮小ガイド手段８Ｄを、通風路３Ｂの通風方向に面する側を曲面形状１２に形成し構成する。
【００６３】
上記構成においては、風路縮小ガイド手段８Ｄの通風方向に面する側を曲面形状１２とすることにより、風向変更時の抵抗を減らして乱流の発生を防ぐことができる。さらに曲面形状１２を凹形状とした場合は、風変更度を大きくすることができ、また、曲面形状１２を凸形状とした場合は、送風領域を中央側に狭めることができることとなる。
【００６４】
（実施の形態６）
図７および図８に示すように、風路縮小ガイド手段８Ｆを、通風路３Ｃの通風方向に面する側の曲面形状１２Ａの断面をＳ字形状１３に形成し構成する。
【００６５】
上記構成においては、曲面形状１２Ａの断面をＳ字形状１３とすることにより、凹形状または凸形状の単純な曲面に比べて送風抵抗が少なく乱流の発生を抑えて低騒音化できるとともに、送風領域を中央側に寄せることができ、整流効果を高めることができることとなる。
【００６６】
（実施の形態７）
図８に示すように、クロスフローファン７Ｃの両端に近接して風路縮小ガイド手段８Ｆを配置した構成とする。
【００６７】
上記構成においては、クロスフローファン７Ｃの両端付近は風の乱流や逆流を発生しやすいが、風路縮小ガイド手段８Ｆをクロスフローファン７Ｃの両端に設けることにより、クロスフローファン７Ｃの両端で乱流や逆流の発生を抑制できるとともに、クロスフローファン７Ｃの長手方向の中心に対して、対称位置に風路縮小ガイド手段８Ｆが配置されているので、全体のバランスを保ちながら送風分布を均一化することができることとなる。
【００６８】
（実施の形態８）
図９および図１０に示すように、吹出口２Ａを近接する主吹出口１４と従吹出口１５とに分割し、各々の主吹出口１４と従吹出口１５に対し連通する１つの風路縮小ガイド手段８Ｇを形成した構成とする。
【００６９】
上記構成においては、吹出口２Ａを、主吹出口１４と従吹出口１５に分けることによって、冷風感を抑えつつ大風量を確保して吹き出すことができるというような他用途の対応が可能となる。
【００７０】
また、主吹出口１４と従吹出口１５に連通する１つの風路縮小ガイド手段８Ｇを設けることにより、省スペース化が図れるとともに、クロスフローファン７Ｄの後流側で乱流の起き易い領域をなくして騒音の発生を抑制することができることとなる。
【００７１】
（実施の形態９）
図１１に示すように、風路縮小ガイド手段８Ｈの突端に風路拡大部１６Ａを形成した構成とする。
【００７２】
上記構成においては、風路縮小ガイド手段８Ｈにより中央寄りに風向変更された気流は、風路拡大部１６Ａを設けることにより、逆方向（中央から外方向）にも拡大できるようにしているので、通風抵抗が少なくなり、騒音を減少することができることとなる。
【００７３】
（実施の形態１０）
図１２および図１３に示すように、従吹出口１５Ａに至る風路縮小ガイド手段８Ｊの従風路１７の距離Ｂを主吹出口１４Ａに至る風路縮小ガイド手段８Ｋの主風路１８の距離Ａより大とするとともに、従風路１７の傾斜角度を主風路１８の傾斜角度より小とした構成とする。
【００７４】
上記構成においては、クロスフローファン７Ｅから従吹出口１５Ａに至る従風路１７は、主吹出口１４Ａに至る主風路１８に比べて、その通風距離を大きくするとともに、傾斜角度を小とすることにより、従吹出口１５Ａへの通風抵抗を少なくして送風時の騒音値を軽減するようにしているので、本体正面側にある従吹出口１５Ａの静音化を図ることができることとなる。
【００７５】
（実施の形態１１）
図１４および図１５に示すように、クロスフローファン７Ｆの吹出口２Ｂとの間の通風路３Ｄに開口部１９を有した整流分配板２０を設け、整流分配板２０に沿う方向に主吹出口１４Ｂを設け、開口部１９を通過する方向に従吹出口１５Ｂを設けて構成する。
【００７６】
上記構成においては、整流分配板２０に沿う方向に主吹出口１４Ｂを配して風量大の空気流を主吹出口１４Ｂへと案内し、開口部１９を通過した風量小の空気流を従吹出口１５Ｂに導くことで、簡単な構成で２つの主吹出口１４Ｂと従吹出口１５Ｂ方向に一定配分した気流を送ることができ、また、主吹出口１４Ｂへは、通風抵抗を少なくして風量の低減を防ぎ、開口部１９から従吹出口１５Ｂに至る風路内で風速が遅くなるので、本体正面に従吹出口１５Ｂを配置することにより使用者に冷風感を与えないようにすることができることとなる。
【００７７】
（実施の形態１２）
図１６に示すように、整流分配板２０Ａに設けた開口部１９Ａの下流側にマイナスイオン発生装置２１を配置した構成とする。
【００７８】
上記構成においては、開口部１９Ａで風量と風速を調整された気流を、マイナスイオン発生装置２１に集中的に送風することができるので、マイナスイオンの発生量を多くすることができるとともに、マイナスイオンを遠方まで飛散させることができることとなる。
【００７９】
（実施の形態１３）
図１７に示すように、風路縮小ガイド手段８Ｌの上端に突起片２２を設けた構成とする。
【００８０】
上記構成においては、風路縮小ガイド手段８Ｌを設けていても、クロスフローファン７Ｇの圧力変動が大きい場合は、乱流が完全に抑制できずに騒音が発生する可能性があるが、風路縮小ガイド手段８Ｌの上端に数ｍｍの高さの突起片２２を設けることにより、圧力変動に対して強くなり乱流を抑制することができるので、騒音をさらに低減することができることとなる。
【産業上の利用可能性】
【００８１】
本発明にかかる空気調和装置は、乱流や逆流を低減し、騒音値を抑えることができるとともに、風速分布の均一化を図ることのできる効果を有し、クロスフローファンを用いた空気調和装置に広く有用である。
【図面の簡単な説明】
【００８２】
【図１】本発明の実施の形態１の空気調和装置の断面図
【図２】同空気調和装置の風路縮小ガイド手段を示す概略図
【図３】本発明の実施の形態２の空気調和装置の風路縮小ガイド手段の概略図
【図４】本発明の実施の形態３の空気調和装置の風路縮小ガイド手段の概略図
【図５】本発明の実施の形態４の空気調和装置の風路縮小ガイド手段の概略図
【図６】本発明の実施の形態５の空気調和装置の風路縮小ガイド手段の概略図
【図７】本発明の実施の形態６の空気調和装置の風路縮小ガイド手段の概略図
【図８】本発明の実施の形態６または７の空気調和装置の風路縮小ガイド手段の概略図
【図９】本発明の実施の形態８の空気調和装置の断面図
【図１０】同空気調和装置の風路縮小ガイド手段を示す概略図
【図１１】本発明の実施の形態９の空気調和装置の風路縮小ガイド手段を示す概略図
【図１２】本発明の実施の形態１０の空気調和装置の断面図
【図１３】同空気調和装置の主風路および従風路を示す概略図
【図１４】本発明の実施の形態１１の空気調和装置の断面図
【図１５】同空気調和装置の整流分配板を示す概略図
【図１６】本発明の実施の形態１２の空気調和装置のマイナスイオン発生装置を示す概略図
【図１７】本発明の実施の形態１３の空気調和装置の風路縮小ガイド手段を示す概略図
【図１８】従来の温風暖房機の正面図
【図１９】同温風暖房機の側面図
【符号の説明】
【００８３】
１      吸込口
２      吹出口
２Ａ    吹出口
３      通風路
３Ａ    通風路
３Ｂ    通風路
３Ｃ    通風路
３Ｄ    通風路
４      本体
５      フィルター
７      クロスフローファン
７Ａ    クロスフローファン
７Ｃ    クロスフローファン
８      風路縮小ガイド手段
８Ａ    風路縮小ガイド手段
８Ｂ    風路縮小ガイド手段
８Ｃ    風路縮小ガイド手段
８Ｄ    風路縮小ガイド手段
８Ｆ    風路縮小ガイド手段
８Ｇ    風路縮小ガイド手段
８Ｈ    風路縮小ガイド手段
８Ｊ    風路縮小ガイド手段
８Ｋ    風路縮小ガイド手段
８Ｌ    風路縮小ガイド手段
９      突出体
１０    傾斜面
１１    平面形状
１２    曲面形状
１２Ａ  曲面形状
１３    Ｓ字形状
１４    主吹出口
１４Ａ  主吹出口
１４Ｂ  主吹出口
１５    従吹出口
１５Ａ  従吹出口
１５Ｂ  従吹出口
１６    風路拡大部
１６Ａ  風路拡大部
１７    従風路
１８    主風路
１９    開口部
１９Ａ  開口部
２０    整流分配板
２１    マイナスイオン発生装置
２２    突起片
【図１】
2007333308.tif 000003
【図２】
2007333308.tif 000004
【図３】
2007333308.tif 000005
【図４】
2007333308.tif 000006
【図５】
2007333308.tif 000007
【図６】
2007333308.tif 000008
【図７】
2007333308.tif 000009
【図８】
2007333308.tif 000010
【図９】
2007333308.tif 000011
【図１０】
2007333308.tif 000012
【図１１】
2007333308.tif 000013
【図１２】
2007333308.tif 000014
【図１３】
2007333308.tif 000015
【図１４】
2007333308.tif 000016
【図１５】
2007333308.tif 000017
【図１６】
2007333308.tif 000018
【図１７】
2007333308.tif 000019
【図１８】
2007333308.tif 000020
【図１９】
2007333308.tif 000021